(57)【要約】【課題】携帯型端末に表示される画面を、他の装置の操作パネルに表示される画面に容易に切り替えることのできる操作表示システム等を提供する。【解決手段】携帯型端末４０と、操作パネル３０を備えた画像処理装置１０を有する操作表示システムにおいて、画像処理装置１０に対する携帯型端末４０の位置を検出し、画像処理装置１０と携帯型端末４０とが所定の位置関係になるように携帯型端末４０の位置が変化したとき、たとえば、携帯型端末４０が画像処理装置１０に接近したとき、携帯型端末４０と操作パネル３０の向きが一致したとき、携帯型端末４０の表示部４８に表示する画面を、画像処理装置１０の操作パネル３０に表示される画面に切り替える。【選択図】図１
2016045512.tif 000002
【特許請求の範囲】
【請求項１】
表示部と、
操作部と、
自端末の位置を検出する検出部と、
前記検出部が検出した自端末の位置と所定の他の装置の位置とが所定の位置関係になったことを検出したとき、自端末の前記表示部に表示する画面を、前記所定の他の装置の操作パネルに表示される画面に切り替える表示切り替え部と、
を有する
ことを特徴とする携帯型端末。
【請求項２】
前記表示切り替え部は、前記所定の位置関係が一定時間保たれたことを検出したとき、画面の切り替えを行う
ことを特徴とする請求項１に記載の携帯型端末。
【請求項３】
前記表示切り替え部は、前記所定の位置関係を検出したとき、画面を切り替えてもよいか否かをユーザに対して確認し、画面を切り替える指示を受けた場合に画面の切り替えを行う
ことを特徴とする請求項１または２に記載の携帯型端末。
【請求項４】
自端末の前記表示部に前記所定の他の装置の操作パネルに表示される画面を表示している間、前記操作パネルでの操作の受け付けを無効にするように前記所定の他の装置に対して指示する無効指示部をさらに有する
ことを特徴とする請求項１乃至３のいずれか１つに記載の携帯型端末。
【請求項５】
前記所定の位置関係は、自端末から前記所定の他の装置の操作パネルまでの距離が所定距離以内になる位置関係である
ことを特徴とする請求項１１乃至４のいずれか１つに記載の携帯型端末。
【請求項６】
前記所定の位置関係は、自端末から前記所定の他の装置の操作パネルまでの距離が以前より短くなる位置関係である
ことを特徴とする請求項１乃至４のいずれか１つに記載の携帯型端末。
【請求項７】
前記所定の位置関係は、前記表示部の臨む向きと前記所定の他の装置の操作パネルの臨む向きが同じ向きになる位置関係である
ことを特徴とする請求項１乃至４のいずれか１つに記載の携帯型端末。
【請求項８】
前記表示部の裏面が臨む方向を撮影するカメラを備え、
前記所定の位置関係は、前記カメラの出力する撮影画像に前記所定の他の装置が映っている位置関係である
ことを特徴とする請求項１乃至４のいずれか１つに記載の携帯型端末。
【請求項９】
前記所定の位置関係は、自端末と前記所定の他の装置とが無線通信可能になる位置関係である
ことを特徴とする請求項１乃至４のいずれか１つに記載の携帯型端末。
【請求項１０】
前記所定の位置関係を充足する前記所定の他の装置が複数台ある場合は、該複数台の中から１台を選択する操作を受け付け、自端末の前記表示部に表示する画面を、前記操作で選択された装置の操作パネルに表示される画面に切り替える
ことを特徴とする請求項１乃至９のいずれか１つに記載の携帯型端末。
【請求項１１】
情報処理装置を
請求項１乃至１０のいずれか１つに記載の携帯型端末として機能させるためのプログラム。
【請求項１２】
操作パネルと、
所定の携帯型端末の位置を検出する検出部と、
前記検出部が検出した携帯型端末と自装置の位置とが所定の位置関係になったことを検出したとき、前記携帯型端末の表示部に表示されている画面を、前記操作パネルに表示する画面と同じ画面に切り替えるように前記携帯型端末に指示する切り替え指示部と、
を有する
ことを特徴とする装置。
【請求項１３】
前記切り替え指示部は、前記所定の位置関係が一定時間保たれたことを検出したとき、画面の切り替えを指示する
ことを特徴とする請求項１２に記載の装置。
【請求項１４】
前記切り替え指示部は、前記所定の位置関係を検出したとき、画面を切り替えてもよいか否かをユーザに対して確認し、画面を切り替える指示を受けた場合に画面の切り替えを前記携帯型端末に指示する
ことを特徴とする請求項１２または１３に記載の装置。
【請求項１５】
前記切り替えを指示している間、前記操作パネルでの操作の受け付けを無効にする
ことを特徴とする請求項１２乃至１４のいずれか１つに記載の装置。
【請求項１６】
前記所定の位置関係は、自装置から前記携帯型端末装置までの距離が所定距離以内になる位置関係である
ことを特徴とする請求項１２乃至１５のいずれか１つに記載の装置。
【請求項１７】
前記所定の位置関係は、自装置から前記携帯型端末までの距離が以前より短くなる位置関係である
ことを特徴とする請求項１２乃至１５のいずれか１つに記載の装置。
【請求項１８】
前記所定の位置関係は、前記操作パネルの臨む向きと前記携帯型端末の表示部の臨む向きが同じ向きになる位置関係である
ことを特徴とする請求項１２乃至１５のいずれか１つに記載の装置。
【請求項１９】
自装置の周囲の所定範囲を撮影するカメラを備え、
前記所定の位置関係は、前記カメラの出力する撮影画像に前記携帯型端末が映っている位置関係である
ことを特徴とする請求項１２乃至１５のいずれか１つに記載の装置。
【請求項２０】
前記所定の位置関係は、自装置と前記携帯型端末とが無線通信可能になる位置関係である
ことを特徴とする請求項１２乃至１５のいずれか１つに記載の装置。
【請求項２１】
携帯型端末と、操作パネルを備えた装置を有する操作表示システムであって、
前記装置に対する前記携帯型端末の位置を検出する検出部と、
前記検出部によって、前記装置の位置と前記携帯型端末の位置とが所定の位置関係になったことが検出されたとき、前記携帯型端末の表示部に表示する画面を、前記装置の操作パネルに表示される画面に切り替える表示切り替え部と、
を有する
ことを特徴とする操作表示システム。
【請求項２２】
前記表示切り替え部は、前記所定の位置関係が一定時間保たれたことを検出したとき、画面の切り替えを行う
ことを特徴とする請求項２１に記載の操作表示システム。
【請求項２３】
前記表示切り替え部は、前記所定の位置関係を検出したとき、画面を切り替えてもよいか否かをユーザに対して確認し、画面を切り替える指示を受けた場合に画面の切り替えを行う
ことを特徴とする請求項２１または２２に記載の操作表示システム。
【請求項２４】
前記携帯型端末の前記表示部に表示する画面を、前記装置の操作パネルに表示される画面と同じ画面に切り替えている間、前記操作パネルでの操作の受け付けを無効にする
ことを特徴とする請求項２１乃至２３のいずれか１つに記載の操作表示システム。
【請求項２５】
前記所定の位置関係は、前記携帯型端末から前記装置までの距離が所定距離以内になる位置関係である
ことを特徴とする請求項２１乃至２４のいずれか１つに記載の操作表示システム。
【請求項２６】
前記所定の位置関係は、前携帯型端末から前記装置までの距離が以前より短くなる位置関係である
ことを特徴とする請求項２１乃至２４のいずれか１つに記載の操作表示システム。
【請求項２７】
前記所定の位置関係は、前記操作パネルの臨む向きと前記携帯型端末の表示部の臨む向きが同じ向きになる位置関係である
ことを特徴とする請求項２１乃至２４のいずれか１つに記載の操作表示システム。
【請求項２８】
前記携帯型端末は、自端末の表示部の裏面が臨む方向を撮影するカメラを備え、
前記所定の位置関係は、前記カメラの出力する撮影画像に前記装置が映っている位置関係である
ことを特徴とする請求項２１乃至２４のいずれか１つに記載の操作表示システム。
【請求項２９】
前記装置は、自装置の周囲の所定範囲を撮影するカメラを備え、
前記所定の位置関係は、前記カメラの出力する撮影画像に前記携帯型端末が映っている位置関係である
ことを特徴とする請求項２１乃至２４のいずれか１つに記載の操作表示システム。
【請求項３０】
前記所定の位置関係は、前記装置と前記携帯型端末とが無線通信可能になる位置関係である
ことを特徴とする請求項２１乃至２４のいずれか１つに記載の操作表示システム。
【請求項３１】
前記所定の位置関係を充足する前記装置が複数台ある場合は、該複数台の中から１台を選択する操作を受け付け、前記携帯型端末の前記表示部に表示する画面を、前記操作で選択された装置の操作パネルに表示される画面に切り替える
ことを特徴とする請求項２１乃至３０のいずれか１つに記載の操作表示装置。
【発明の詳細な説明】
【技術分野】
【０００１】
本発明は、携帯型端末に表示される画面を、他の装置に表示される画面に切り替え可能な携帯型端末、そのプログラム、装置および操作表示システムに関する。
【背景技術】
【０００２】
複合機などの画像形成装置が備える操作パネルとこれに並置されたユーザの携帯型端末とを連携動作させ、たとえば、アドレス帳などを表示する画面のうち画像形成装置の操作パネルに一度に表示しきれない部分を、並置された携帯型端末に表示させる技術がある。（特許文献１参照）。
【先行技術文献】
【特許文献】
【０００３】
【特許文献１】特開２０１３−０８８５０６号公報
【発明の概要】
【発明が解決しようとする課題】
【０００４】
携帯型端末を画像形成装置の操作パネルの代わりに使用したいという要請がある。上記の連携動作は、操作パネルの画面を拡張等するものであり、上記の要請には対応できない。
【０００５】
また、携帯型端末を画像形成装置の操作パネルの代わりに使用するには、携帯型端末の表示部に表示される画面を、該携帯型端末の画面（たとえば、Ｗｅｂページを閲覧している画面など）から、画像形成装置の操作パネルに表示されている画面に切り替えなければならない。この切り替えの指示を、ユーザに特定の操作ボタンを押下させるといった方法で受けると、切り替え操作が煩雑になってしまう。
【０００６】
本発明は、上記の問題を解決しようとするものであり、携帯型端末に表示される画面を、他の装置の操作パネルに表示される画面に容易に切り替えることのできる携帯型端末、及びそのプログラム、操作表示装置、操作表示システムを提供することを目的としている。
【課題を解決するための手段】
【０００７】
かかる目的を達成するための本発明の要旨とするところは、次の各項の発明に存する。
【０００８】
［１］表示部と、
操作部と、
自端末の位置を検出する検出部と、
前記検出部が検出した自端末の位置と所定の他の装置の位置とが所定の位置関係になったことを検出したとき、自端末の前記表示部に表示する画面を、前記所定の他の装置の操作パネルに表示される画面に切り替える表示切り替え部と、
を有する
ことを特徴とする携帯型端末。
【０００９】
上記発明および下記［１２］、［２１］に記載の発明では、所定の他の装置の位置と携帯型端末の位置とが所定の位置関係になったことを検出したとき、携帯型端末の表示部に表示する画面を、所定の他の装置の操作パネルに表示される画面に切り替える。ユーザは手に持っている携帯型端末を、たとえば、他の装置に近づける、表示部の向きを他の装置の操作パネルの向きに一致させる、ように移動させることで、表示を切り替えることができる。また、携帯型端末には、他の装置の操作パネルに表示される画面がそのまま表示されるので、携帯型端末を他の装置の操作パネルに代わるリモート操作パネルとして使用することができる。
【００１０】
［２］前記表示切り替え部は、前記所定の位置関係が一定時間保たれたことを検出したとき、画面の切り替えを行う
ことを特徴とする［１］に記載の携帯型端末。
【００１１】
［３］前記表示切り替え部は、前記所定の位置関係を検出したとき、画面を切り替えてもよいか否かをユーザに対して確認し、画面を切り替える指示を受けた場合に画面の切り替えを行う
ことを特徴とする［１］または［２］に記載の携帯型端末。
【００１２】
［４］自端末の前記表示部に前記所定の他の装置の操作パネルに表示される画面を表示している間、前記操作パネルでの操作の受け付けを無効にするように前記所定の他の装置に対して指示する無効指示部をさらに有する
ことを特徴とする［１］乃至［３］のいずれか１つに記載の携帯型端末。
【００１３】
上記発明および下記［１５］、［２４］に記載の発明では、携帯型端末の表示部に表示されている画面が、他の装置の操作パネルに表示される画面に切り替わっている間、他の装置の操作パネルでの操作は無効にされる。
【００１４】
［５］前記所定の位置関係は、自端末から前記所定の他の装置の操作パネルまでの距離が所定距離以内になる位置関係である
ことを特徴とする［１］乃至［４］のいずれか１つに記載の携帯型端末。
【００１５】
上記発明および下記［１６］、［２５］に記載の発明では、携帯型端末と他の装置との距離が所定距離以内になったとき、携帯型端末の表示部に表示されている画面が、他の装置の操作パネルに表示される画面に切り替わる。
【００１６】
［６］前記所定の位置関係は、自端末から前記所定の他の装置の操作パネルまでの距離が以前より短くなる位置関係である
ことを特徴とする［１乃至［４］のいずれか１つに記載の携帯型端末。
【００１７】
上記発明および下記［１７］、［２６］に記載の発明では、携帯型端末と他の装置との距離の大小にかかわらず、携帯型端末が他の装置に近づけられたとき、携帯型端末の表示部に表示されている画面が、他の装置の操作パネルに表示される画面に切り替わる。
【００１８】
［７］前記所定の位置関係は、前記表示部の臨む向きと前記所定の他の装置の操作パネルの臨む向きが同じ向きになる位置関係である
ことを特徴とする［１］乃至［４］のいずれか１つに記載の携帯型端末。
【００１９】
上記発明および下記［１８］、［２７］に記載の発明では、携帯型端末の表示部の向きと他の装置の操作パネルの向きが一致したとき、携帯型端末の表示部に表示されている画面が、他の装置の操作パネルに表示される画面に切り替わる。
【００２０】
［８］前記表示部の裏面が臨む方向を撮影するカメラを備え、
前記所定の位置関係は、前記カメラの出力する撮影画像に前記所定の他の装置が映っている位置関係である
ことを特徴とする［１］乃至［４］のいずれか１つに記載の携帯型端末。
【００２１】
上記発明および下記［２８］に記載の発明では、携帯型端末のカメラが出力する撮影画像内に他の装置が映っている場合に、携帯型端末の表示部に表示されている画面が、他の装置の操作パネルに表示される画面に切り替わる。カメラは、携帯型端末の表示部の裏面が臨む方向を撮影する。すなわち、カメラは、携帯型端末の表示部を見ているユーザの視線と同じ方向を撮影する。したがって、携帯型端末の表示部を見ているユーザの視線の先に他の装置がある場合に、携帯型端末の表示部に表示されている画面が、他の装置の操作パネルに表示される画面に切り替わる。
【００２２】
［９］前記所定の位置関係は、自端末と前記所定の他の装置とが無線通信可能になる位置関係である
ことを特徴とする［１］乃至［４］のいずれか１つに記載の携帯型端末。
【００２３】
［１０］前記所定の位置関係を充足する前記所定の他の装置が複数台ある場合は、該複数台の中から１台を選択する操作を受け付け、自端末の前記表示部に表示する画面を、前記操作で選択された装置の操作パネルに表示される画面に切り替える
ことを特徴とする［１］乃至［９］のいずれか１つに記載の携帯型端末。
【００２４】
上記発明および下記［３１］に記載の発明では、所定の位置関係を充足する他の装置が複数台ある場合は、該複数台の中から１台をユーザに選択させ、その選択された装置を対象に、表示の切り替えが行われる。たとえば、携帯型端末のカメラが撮影した画像内に複数台の他の装置が映っている場合や、携帯型端末をある装置に対して近づけたときにその方向の延長上に別の装置が設置してあるような場合に、所定の位置関係を充足する他の装置が複数台になる。
【００２５】
［１１］情報処理装置を
［１］乃至［１０］のいずれか１つに記載の携帯型端末として機能させるためのプログラム。
【００２６】
［１２］操作パネルと、
所定の携帯型端末の位置を検出する検出部と、
前記検出部が検出した携帯型端末と自装置の位置とが所定の位置関係になったことを検出したとき、前記携帯型端末の表示部に表示されている画面を、前記操作パネルに表示する画面と同じ画面に切り替えるように前記携帯型端末に指示する切り替え指示部と、
を有する
ことを特徴とする装置。
【００２７】
［１３］前記切り替え指示部は、前記所定の位置関係が一定時間保たれたことを検出したとき、画面の切り替えを指示する
ことを特徴とする［１２］に記載の装置。
【００２８】
［１４］前記切り替え指示部は、前記所定の位置関係を検出したとき、画面を切り替えてもよいか否かをユーザに対して確認し、画面を切り替える指示を受けた場合に画面の切り替えを前記携帯型端末に指示する
ことを特徴とする［１２］または［１３］に記載の装置。
【００２９】
［１５］前記切り替えを指示している間、前記操作パネルでの操作の受け付けを無効にする
ことを特徴とする［１２］乃至［１４］のいずれか１つに記載の装置。
【００３０】
［１６］前記所定の位置関係は、自装置から前記携帯型端末装置までの距離が所定距離以内になる位置関係である
ことを特徴とする［１２］乃至［１５］のいずれか１つに記載の装置。
【００３１】
［１７］前記所定の位置関係は、自装置から前記携帯型端末までの距離が以前より短くなる位置関係である
ことを特徴とする［１２］乃至［１５］のいずれか１つに記載の装置。
【００３２】
［１８］前記所定の位置関係は、前記操作パネルの臨む向きと前記携帯型端末の表示部の臨む向きが同じ向きになる位置関係である
ことを特徴とする［１２］乃至［１５］のいずれか１つに記載の装置。
【００３３】
［１９］自装置の周囲の所定範囲を撮影するカメラを備え、
前記所定の位置関係は、前記カメラの出力する撮影画像に前記携帯型端末が映っている位置関係である
ことを特徴とする［１２］乃至［１５］のいずれか１つに記載の装置。
【００３４】
上記発明および下記［２９］に記載の発明では、装置の周囲の所定範囲に携帯型端末が存在する場合に、携帯型端末の表示部に表示されている画面が、当該装置の操作パネルに表示する画面に切り替わる。
【００３５】
［２０］前記所定の位置関係は、自装置と前記携帯型端末とが無線通信可能になる位置関係である
ことを特徴とする［１２］乃至［１５］のいずれか１つに記載の装置。
【００３６】
［２１］携帯型端末と、操作パネルを備えた装置を有する操作表示システムであって、
前記装置に対する前記携帯型端末の位置を検出する検出部と、
前記検出部によって、前記装置の位置と前記携帯型端末の位置とが所定の位置関係になったことが検出されたとき、前記携帯型端末の表示部に表示する画面を、前記装置の操作パネルに表示される画面に切り替える表示切り替え部と、
を有する
ことを特徴とする操作表示システム。
【００３７】
［２２］前記表示切り替え部は、前記所定の位置関係が一定時間保たれたことを検出したとき、画面の切り替えを行う
ことを特徴とする請求項２１に記載の操作表示システム。
【００３８】
［２３］前記表示切り替え部は、前記所定の位置関係を検出したとき、画面を切り替えてもよいか否かをユーザに対して確認し、画面を切り替える指示を受けた場合に画面の切り替えを行う
ことを特徴とする［２１］または［２２］に記載の操作表示システム。
【００３９】
［２４］前記携帯型端末の前記表示部に表示する画面を、前記装置の操作パネルに表示される画面と同じ画面に切り替えている間、前記操作パネルでの操作の受け付けを無効にする
ことを特徴とする［２１］乃至［２３］のいずれか１つに記載の操作表示システム。
【００４０】
［２５］前記所定の位置関係は、前記携帯型端末から前記装置までの距離が所定距離以内になる位置関係である
ことを特徴とする［２１］乃至［２４］のいずれか１つに記載の操作表示システム。
【００４１】
［２６］前記所定の位置関係は、前携帯型端末から前記装置までの距離が以前より短くなる位置関係である
ことを特徴とする［２１］乃至［２４］のいずれか１つに記載の操作表示システム。
【００４２】
［２７］前記所定の位置関係は、前記操作パネルの臨む向きと前記携帯型端末の表示部の臨む向きが同じ向きになる位置関係である
ことを特徴とする［２１］乃至［２４］のいずれか１つに記載の操作表示システム。
【００４３】
［２８］前記携帯型端末は、自端末の表示部の裏面が臨む方向を撮影するカメラを備え、
前記所定の位置関係は、前記カメラの出力する撮影画像に前記装置が映っている位置関係である
ことを特徴とする［２１］乃至［２４］のいずれか１つに記載の操作表示システム。
【００４４】
［２９］前記装置は、自装置の周囲の所定範囲を撮影するカメラを備え、
前記所定の位置関係は、前記カメラの出力する撮影画像に前記携帯型端末が映っている位置関係である
ことを特徴とする［２１］乃至［２４］のいずれか１つに記載の操作表示システム。
【００４５】
［３０］前記所定の位置関係は、前記装置と前記携帯型端末とが無線通信可能になる位置関係である
ことを特徴とする［２１］乃至［２４］のいずれか１つに記載の操作表示システム。
【００４６】
［３１］前記所定の位置関係を充足する前記装置が複数台ある場合は、該複数台の中から１台を選択する操作を受け付け、前記携帯型端末の前記表示部に表示する画面を、前記操作で選択された装置の操作パネルに表示される画面に切り替える
ことを特徴とする［２１］乃至［３０］のいずれか１つに記載の操作表示装置。
【発明の効果】
【００４７】
本発明に係る携帯型端末、そのプログラム、装置および操作表示システムによれば、携帯型端末に表示される画面を、他の装置の操作パネルに表示される画面に容易に切り替えることができる。
【図面の簡単な説明】
【００４８】
【図１】本発明の実施の形態に係る操作表示システムの構成例を示す図である。
【図２】本発明の操作表示装置を備えた画像処理装置の概略構成を示すブロック図である。
【図３】携帯型端末の概略構成を示すブロック図である。
【図４】携帯型端末が行う表示切り替え処理の全体を示す流れ図である。
【図５】距離基準処理（図４のステップＳ１０５）の詳細を示す流れ図である。
【図６】接近基準処理（図４のステップＳ１０６）の詳細を示す流れ図である。
【図７】向き基準処理（図４のステップＳ１０７）の詳細を示す流れ図である。
【図８】撮影画像基準処理（図４のステップＳ１０８）の詳細を示す流れ図である。
【図９】複数台の中から１台を選択する操作をユーザから受け付ける選択画面の一例を示す図である。
【図１０】複数台の中から１台を選択する操作をユーザから受け付ける選択画面の他の一例を示す図である。
【発明を実施するための形態】
【００４９】
以下、図面に基づき本発明の実施の形態を説明する。
【００５０】
図１は、本発明の実施の形態に係る操作表示システム５の構成例を示している。操作表示システム５は、操作パネル３０を備えた装置としての画像処理装置１０と、無線通信を通じて画像処理装置１０を遠隔操作可能な携帯型端末４０を備えている。携帯型端末４０は、ＬＡＮ（Local Area Network）などのネットワーク、あるいは近距離無線通信により画像処理装置１０と無線通信可能に接続される。
【００５１】
画像処理装置１０は、原稿を光学的に読み取ってその複製画像を記録紙に印刷するコピー機能、読み取った原稿の画像データをファイルにして保存したり外部端末へネットワークを通じて送信したりするスキャン機能、ＰＣ（Personal Computer）などからネットワークを通じて受信した印刷データに係る画像を記録紙上に形成して印刷出力するプリンタ機能、ファクシミリ手順に従って画像データを送受信するファクシミリ機能などを備えた、所謂、複合機（ＭＦＰ）である。
【００５２】
携帯型端末４０は、タブレット等の携帯型情報処理装置である。操作表示システム５では、画像処理装置１０と携帯型端末４０が所定の位置関係になるようにユーザが携帯型端末４０を変位させると、携帯型端末４０が表示している画面が、画像処理装置１０の操作パネル３０に表示される画面に切り替わり、携帯型端末４０を画像処理装置１０のリモート操作パネルのように動作させることができる。
【００５３】
図２は、画像処理装置１０の概略構成を示すブロック図である。画像処理装置１０は、当該画像処理装置１０の動作を統括的に制御する制御部としてのＣＰＵ(Central Processing Unit)１１を有している。ＣＰＵ１１にはバスを通じてＲＯＭ(Read Only Memory)１２、ＲＡＭ(Random Access Memory)１３、不揮発メモリ１４、ハードディスク装置１５、画像読取部１６、自動原稿搬送部（ＡＤＦ：Auto Document Feeder）１７、画像処理部１８、プリンタ部１９、ネットワーク通信部２１、ファクシミリ通信部２２、近距離無線通信部２３、操作パネル３０などが接続されている。
【００５４】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで画像処理装置１０の各機能が実現される。ＣＰＵ１１は、携帯型端末４０に対して画面の切り替えを指示する切り替え指示部、画面の切り替えをキュンセルする無効指示部の機能を果たす。
【００５５】
ＲＡＭ１３は、ＣＰＵ１１がプログラムに基づいて処理を実行する際に各種のデータを一時的に格納するワークメモリや画像データを格納する画像メモリなどとして使用される。
【００５６】
不揮発メモリ１４は、電源をオフにしても記憶内容が破壊されないメモリ（フラッシュメモリ）であり、各種設定情報の保存などに使用される。
【００５７】
ハードディスク装置１５は大容量不揮発の記憶装置であり、印刷データ、表示画面のデータのほか各種のプログラムやデータが記憶される。
【００５８】
画像読取部１６は、原稿を光学的に読み取って画像データを取得する機能を果たす。画像読取部１６は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５９】
自動原稿搬送部１７は、原稿台にセットされた原稿をその最上のものから１枚ずつ順に繰り出して搬送し、画像読取部１６の読み取り位置を通過させて所定の排紙位置へ排紙する機能を果たす。画像読取部１６は、プラテンガラス上に載置された原稿を読み取る機能と、自動原稿搬送部１７によって搬送される原稿を順次読み取る機能を備えている。
【００６０】
画像処理部１８は、画像の拡大縮小、回転などの処理のほか、印刷データをイメージデータに変換するラスタライズ処理、画像データの圧縮、伸張処理などを行う。
【００６１】
プリンタ部１９は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００６２】
ネットワーク通信部２１は、ＬＡＮなどのネットワークを通じて携帯型端末４０や外部のＰＣ、サーバなどと通信する機能を果たす。
【００６３】
ファクシミリ通信部２２は、ファクシミリ機能を備えた外部装置と電話回線を通じて画像データを送受信する機能を果たす。
【００６４】
近距離無線通信部２３は、携帯型端末４０などの外部装置と近距離無線通信を行う。通信可能距離は、たとえば、１０ｍ以内等である。
【００６５】
操作パネル３０は、表示部３１、操作部３２、距離測定部３３、カメラ３４を備えて構成される。操作パネル３０の制御は、ＣＰＵ１１あるいは操作パネル３０が別途備えるＣＰＵが行う。
【００６６】
表示部３１は、各種の操作画面、設定画面等を表示する機能を果たす。表示部３１は液晶ディスプレイ（ＬＣＤ…Liquid Crystal Display）とそのドライバなどで構成される。操作部３２はユーザから各種の操作を受ける機能を果たす。操作部３２は、スタートボタンなどの各種ハードスイッチと、表示部３１の表示面上に設けられたタッチパネルを備えている。タッチパネルは、表示部３１の表示面がタッチペンや指などで接触操作された座標位置を検出する。
【００６７】
距離測定部３３は、操作パネル３０から所定の距離以内に存在する携帯型端末４０との距離を測定する。距離の測定方法は既知の任意の方法でよい。
【００６８】
カメラ３４は、画像処理装置１０の周囲の所定の範囲を撮影する。たとえば、画像処理装置１０の前方を、水平方向約１２０度の範囲を撮影する。
【００６９】
図３は、携帯型端末４０の概略構成を示すブロック図である。携帯型端末４０は、当該携帯型端末４０の動作を統括制御するＣＰＵ４１を有している。ＣＰＵにはバスを通じてＲＯＭ４２と、ＲＡＭ４３と、不揮発メモリ４４と、カメラ４５と、距離測定部４６と、操作部４７と、表示部４８と、ネットワーク通信部４９と、近距離無線通信部５１と、方位センサ部５２が接続されている。
【００７０】
ＣＰＵ４１は、ＯＳ（Operating System）プログラムをベースとし、その上で、ミドルウェアやアプリケーションプログラムなどを実行する。ＲＯＭ４２には、各種のプログラムが格納されており、これらのプログラムに従ってＣＰＵ４１が各種処理を実行することで携帯型端末４０の機能が実現される。ＣＰＵ４１は、画面を切り替える切り替え部、画面の切り替えをキュンセルする無効指示部の機能を果たす。
【００７１】
ＲＡＭ４３は、ＣＰＵ４１がプログラムに基づいて処理を実行する際に各種のデータを一時的に格納したり、表示用のデータを格納したりするためのワークメモリとして使用される。
【００７２】
不揮発メモリ４４は、電源をオフにしても記憶内容が破壊されないメモリ（フラッシュメモリ）であり、各種設定情報の保存などに使用される。
【００７３】
表示部４８は、各種の操作画面、設定画面を表示する機能を果たす。表示部４８は液晶ディスプレイとそのドライバなどで構成される。操作部４７は操作者から各種の操作を受ける機能を果たす。操作部４７は、少数のハードスイッチと、表示部４８の表示面上に設けられたタッチパネル４７ａを備えている。
【００７４】
カメラ４５は、当該携帯型端末４０の表示部４８を見るユーザの視線方向、すなわち、表示部４８の裏面が臨む方向を撮影する。携帯型端末４０は、薄板形状であり、表面側のほぼ全部が表示部の表示面になっている。カメラ４５は携帯型端末４０の裏面側に外向きに設けてあり、携帯型端末４０の裏面が臨む方向を撮影する。
【００７５】
距離測定部４６は、当該携帯型端末４０から所定の距離以内に存在する画像処理装置１０との距離を測定する。距離の測定方法は既知の任意の方法でよい。ここでは、カメラ４５が撮影する方向、すなわち、携帯型端末４０の裏面が臨む方向に存在する画像処理装置１０までの距離を測定する。
【００７６】
ネットワーク通信部４９は、画像処理装置１０や外部のＰＣ、サーバなどと通信する機能を果たす。近距離無線通信部５１は、画像処理装置１０などの外部装置と近距離無線通信を行う。通信可能距離は、たとえば、１０ｍ以内等である。
【００７７】
方位センサ部５２は、複数の地磁気センサと複数の加速度センサを組み合わせるなどして構成される。方位センサ部５２は、携帯型端末４０の位置（具体的には、姿勢や角度）を検出する。また、方位センサ部５２は、携帯型端末４０が傾けられたり移動されたりしたときにその変位の向きや速さを検出して、検出結果をＣＰＵ４１へ通知する。
【００７８】
次に、操作表示システム５において、携帯型端末４０の表示している画面を、画像処理装置１０の操作パネル３０に表示される画面に切り替える動作について説明する。
【００７９】
図４は、上記切り替え動作に係る処理の概要を示す流れ図である。まず、携帯型端末４０の表示部４８に、携帯型端末４０の画面が表示されているか否かを調べる(ステップＳ１０１)。携帯型端末４０の画面とは、画像処理装置１０の操作パネル３０の表示部３１に表示される画面以外の画面である。たとえば、Ｗｅｂページを表示するブラウザの画面や、携帯型端末４０にインストールされている何らかのアプリケーションプログラム（該切り替え動作に係るアプリケーションプログラムを除く）が表示する画面などである。
【００８０】
携帯型端末４０に、携帯型端末４０の画面が表示されていない場合は（ステップＳ１０１;Ｎｏ)、ステップＳ１０１に戻る。携帯型端末４０に、携帯型端末４０の画面が表示されている場合は（ステップＳ１０１;Ｙｅｓ）、該携帯型端末４０と画像処理装置１０が通信可能な状態か否かを判別する（ステップＳ１０２）。ここでは、近距離無線通信が可能か否かを判別する。
【００８１】
携帯型端末４０と画像処理装置１０が通信可能な状態でなければ（ステップＳ１０２;Ｎｏ）、ステップＳ１０１に戻る。携帯型端末４０と画像処理装置１０が通信可能な状態であれば（ステップＳ１０２;Ｙｅｓ）、該携帯型端末４０の表示部４８に表示切り替え釦を表示する（ステップＳ１０３）。表示切り替え釦は、携帯型端末４０の表示部４８に表示する画面を、画像処理装置１０の操作パネル３０に表示される画面に切り替える指示をユーザから受けるための操作釦である。
【００８２】
次に、予め設定されている自動切り替え条件の種類を判別し（ステップＳ１０４）、その設定されている自動切り替え条件に対応する処理を自動的に実行する（ステップＳ１０５、Ｓ１０６、Ｓ１０７、Ｓ１０８）。自動切り替え条件には、距離基準、接近基準、向き基準、撮影画像基準があり、これらの中のいずれか１つが予め選択されて設定されている。
【００８３】
予め設定されている自動切り替え条件が距離基準であれば、距離基準処理を行って（ステップＳ１０５）、本処理を終了する。予め設定されている自動切り替え条件が接近基準であれば、接近基準処理を行って（ステップＳ１０６）、本処理を終了する。予め設定されている自動切り替え条件が向き基準であれば、向き基準処理を行って（ステップＳ１０７）、本処理を終了する。予め設定されている自動切り替え条件が撮影画像基準であれば、撮影画像基準処理を行って（ステップＳ１０８）、本処理を終了する。
【００８４】
図５は、距離基準処理（図４のステップＳ１０５）の詳細を示す流れ図である。携帯型端末４０と画像処理装置１０の操作パネル３０との距離を測定する（ステップＳ２０１）。この測定は、携帯型端末４０の距離測定部４６、あるいは、画像処理装置１０の距離測定部３３を用いて行う。
【００８５】
そして、携帯型端末４０と画像処理装置１０の距離が所定距離以下か否かを判断する（ステップＳ２０２）。所定距離は、たとえば、５０ｃｍや１ｍなどの短距離に設定される。
【００８６】
携帯型端末４０と画像処理装置１０の距離が所定距離以下ならば（ステップＳ２０２;Ｙｅｓ）、ステップＳ２０４へ移行する。なお、所定距離以下の状態が一定時間以上（たとえば、２秒以上）保たれた場合に、ステップＳ２０２；Ｙｅｓとなるようにするとよい。携帯型端末４０と画像処理装置１０の距離が所定距離以下でなければ（ステップＳ２０２;Ｎｏ）、表示切り替え釦が押下されたか否かを判定する（ステップＳ２０３）。表示切り替え釦が押下されなければ（ステップＳ２０３;Ｎｏ）、ステップＳ２０１に戻って処理を継続する。表示切り替え釦が押下された場合は（ステップＳ２０３;Ｙｅｓ）、ステップＳ２０４に移行する。
【００８７】
ステップＳ２０４では、携帯型端末４０に表示されている画面を、画像処理装置１０の操作パネル３０の表示部３１に表示される画面に切り替える。ここでは、現時点で操作パネル３０の表示部３１に表示されている画面と同じ画面を携帯型端末４０の表示部４８に表示する。
【００８８】
次に、画像処理装置１０の操作パネル３０の表示部３１の表示、および操作部３２による操作の受け付けを無効にして（ステップＳ２０５）、本処理を終了する。これにより、携帯型端末４０に画像処理装置１０の操作パネル３０に表示される画面が表示されている間、画像処理装置１０の操作パネル３０での操作は無効になる。すなわち、画像処理装置１０に関する各種の操作を受ける機能を果たす装置が、画像処理装置１０の操作パネル３０から携帯型端末４０に切り替えられる。
【００８９】
このように、自動切り替え条件として距離基準が設定されている場合には、携帯型端末４０と画像処理装置１０の操作パネル３０との位置関係が、携帯型端末４０から画像処理装置１０の操作パネル３０までの距離が所定距離以内になるように、ユーザが携帯型端末４０を移動させると、携帯型端末４０に表示される画面が、画像処理装置１０の操作パネル３０に表示される画面に切り替わる。
【００９０】
なお、図５のステップＳ２０２において、携帯型端末４０からの距離が所定距離以下になる画像処理装置１０が複数台存在する場合には、該複数台の中から１台を選択する操作をユーザから受け付ける。そして、その選択された１台の画像処理装置１０を対象にして、ステップＳ２０４、Ｓ２０５の処理を行う。
【００９１】
図６は、接近基準処理（図４のステップＳ１０６）の詳細を示す流れ図である。携帯型端末４０と画像処理装置１０の操作パネル３０との距離を測定する（ステップＳ３０１）。この測定は、携帯型端末４０の距離測定部４６、あるいは、画像処理装置１０の距離測定部３３を用いて行う。距離の測定は、所定時間間隔で行われ、測定した時刻と測定した距離とを対応付けて記憶するようになっている。
【００９２】
そして、該測定した距離と、前回測定した距離を比較する（ステップＳ３０２）。前回測定した距離より今回測定した距離が短い場合、すなわち、携帯型端末４０が画像処理装置１０に近づけられた場合は（ステップＳ３０３;Ｙｅｓ）、ステップＳ３０５へ移行する。なお、近づけられた状態が一定時間以上保たれた場合、具体的には、一定時間以上近づけられ続けた場合、あるいは、近づけられ始めてから一定時間の経過前に遠ざけられなかった場合等に、ステップＳ３０３；Ｙｅｓとなるようにするとよい。
【００９３】
この判断では、近づいたか否かを基準としており、携帯型端末４０と画像処理装置１０との絶対的な距離は無関係である。したがって、ユーザが画像処理装置１０から離れた自分の席で携帯型端末４０を手に持って画像処理装置１０に近づける動作を行ったような場合も含まれる。なお、携帯型端末４０を画像処理装置１０に近づける動作を有効とする、携帯型端末４０と画像処理装置１０との距離の範囲を設定しておき、その範囲内で携帯型端末４０を画像処理装置１０に近づける動作が行われた場合にのみ、表示の切り替えを行うようにしてもよい。距離の範囲は、たとえば、３ｍ以上、あるいは３ｍ〜１０ｍのように設定される。
【００９４】
前回測定した距離より今回測定した距離が短くない場合は（ステップＳ３０３;Ｎｏ）、すなわち、携帯型端末４０が画像処理装置１０へ近づくように移動されていない場合は、表示切り替え釦が押下されたか否かを判定する（ステップＳ３０４）。表示切り替え釦が押下されなければ（ステップＳ３０４;Ｎｏ）、ステップＳ３０１に戻って処理を継続する。表示切り替え釦が押下された場合は（ステップＳ３０４;Ｙｅｓ）、ステップＳ３０５に移行する。
【００９５】
ステップＳ３０５では、携帯型端末４０に表示されている画面を、画像処理装置１０の操作パネル３０の表示部３１に表示される画面に切り替える。ここでは、現時点で操作パネル３０の表示部３１に表示されている画面と同じ画面を携帯型端末４０の表示部４８に表示する。
【００９６】
次に、画像処理装置１０の操作パネル３０の表示部３１の表示、および操作部３２による操作の受け付けを無効にして（ステップＳ３０６）、本処理を終了する。これにより、携帯型端末４０に画像処理装置１０の操作パネル３０に表示される画面が表示されている間、画像処理装置１０の操作パネル３０での操作は無効になる。すなわち、画像処理装置１０に関する各種の操作を受ける機能を果たす装置が、画像処理装置１０の操作パネル３０から携帯型端末４０に切り替えられる。
【００９７】
このように、自動切り替え条件として接近基準が設定されている場合は、携帯型端末４０と画像処理装置１０の操作パネル３０との位置関係が、携帯型端末４０と画像処理装置１０の操作パネル３０との距離が以前より短くなるように、ユーザが携帯型端末４０を移動させると、携帯型端末４０に表示される画面が、画像処理装置１０の操作パネル３０に表示される画面に切り替わる。
【００９８】
なお、図６のステップＳ３０３において、携帯型端末４０との距離が短くなった画像処理装置１０が複数台存在する場合には、該複数台の中から１台を選択する操作をユーザから受け付ける。そして、その選択された１台の画像処理装置１０を対象にして、ステップＳ３０５、Ｓ３０６の処理を行う。
【００９９】
図７は、向き基準処理（図４のステップＳ１０７）の詳細を示す流れ図である。携帯型端末４０のカメラ４５が現在撮影している画像を取得する（ステップＳ４０１）。この画像を解析して、画像内での画像処理装置１０の操作パネル３０の向きを認識する（ステップＳ４０２）。
【０１００】
そして、携帯型端末４０の表示部４８が臨む向きと、画像処理装置１０の操作パネル３０が臨む向きが一致しているか否かを調べる（ステップＳ４０３）。
【０１０１】
ここでは、携帯型端末４０の表示部４８が臨む向きと、画像処理装置１０の操作パネル３０が臨む向きの差が所定の許容値以下であれば、向きが一致していると判定する。許容値は任意に設定可能であるが、たとえば、１０度から２０度に設定される。
【０１０２】
なお、携帯型端末４０のカメラ４５は、携帯型端末４０の裏面（表示部４８の裏面）が臨む方向を撮影している。そこで、カメラ４５の撮影画像内での画像処理装置１０の操作パネル３０の向きが分かれば、携帯型端末４０の表示部４８の向きと画像処理装置１０の操作パネル３０の向きの差を認識することができる。
【０１０３】
画像処理装置１０の操作パネル３０の向きと携帯型端末４０の表示部４８の臨む向きとの差を認識する方法は、カメラ４５の撮影画像を解析する方法に限らない。たとえば、画像処理装置１０の向きを示す情報を画像処理装置１０から取得し、携帯型端末４０は自端末の向きを方位センサ部５２で認識し、これらの差を認識してもよい。画像処理装置１０の向きは、たとえば、設置作業者や管理者が計測して画像処理装置１０に登録する。
【０１０４】
携帯型端末４０の表示部４８が臨む向きと、画像処理装置１０の操作パネル３０が臨む向きが一致している場合は（ステップＳ４０３;Ｙｅｓ）、ステップＳ４０５へ移行する。なお、向きの一致する状態が一定時間以上（たとえば、２秒以上）保たれた場合に、ステップＳ４０３；Ｙｅｓとなるようにするとよい。
【０１０５】
携帯型端末４０の表示部４８が臨む向きと、画像処理装置１０の操作パネル３０が臨む向きが一致しない場合は（ステップＳ４０３;Ｎｏ）、表示切り替え釦が押下されたか否かを判定する（ステップＳ４０４）。表示切り替え釦が押下されなければ（ステップＳ４０４;Ｎｏ）、ステップＳ４０１に戻って処理を継続する。表示切り替え釦が押下された場合は（ステップＳ４０４;Ｙｅｓ）、ステップＳ４０５に移行する。
【０１０６】
ステップＳ４０５では、携帯型端末４０に表示されている画面を、画像処理装置１０の操作パネル３０の表示部３１に表示される画面に切り替える。ここでは、現時点で操作パネル３０の表示部３１に表示されている画面と同じ画面を携帯型端末４０の表示部４８に表示する。
【０１０７】
次に、画像処理装置１０の操作パネル３０の表示部３１の表示、および操作部３２による操作の受け付けを無効にして（ステップＳ４０６）、本処理を終了する。これにより、携帯型端末４０に画像処理装置１０の操作パネル３０に表示される画面が表示されている間、画像処理装置１０の操作パネル３０での操作は無効になる。すなわち、画像処理装置１０に関する各種の操作を受ける機能を果たす装置が、画像処理装置１０の操作パネル３０から携帯型端末４０に切り替えられる。
【０１０８】
このように、自動切り替え条件として向き基準が設定されている場合は、携帯型端末４０と画像処理装置１０の操作パネル３０との位置関係が、携帯型端末４０の表示部４８が臨む向きと画像処理装置１０の操作パネル３０が臨む向きとが一致する位置関係になるように、ユーザが携帯型端末４０を移動させると、携帯型端末４０に表示される画面が、画像処理装置１０の操作パネル３０に表示される画面に切り替わる。
【０１０９】
なお、図７のステップＳ４０３において、携帯型端末４０の表示部４８の臨む向きと操作パネルの臨む向きとが一致する画像処理装置１０が複数台存在する場合には、該複数台の中から１台を選択する操作をユーザから受け付ける。そして、その選択された１台の画像処理装置１０を対象にして、ステップＳ４０５、Ｓ４０６の処理を行う。
【０１１０】
図８は、撮影画像基準処理（図４のステップＳ１０８）の詳細を示す流れ図である。携帯型端末４０のカメラ４５が現在撮影している画像を取得する（ステップＳ５０１）。この画像を解析して、画像内に画像処理装置１０の操作パネル３０が映っているか否かを判定する（ステップＳ５０２）。
【０１１１】
なお、ここでは、画像内に移っている画像処理装置１０（あるいは画像処理装置１０の操作パネル３０）のサイズが一定以上の場合のみ、すなわち、携帯型端末４０からの距離が所定距離以内の範囲に画像処理装置１０の操作パネル３０が映っている場合のみ、画像内に画像処理装置１０の操作パネル３０が映っていると判定する。
【０１１２】
携帯型端末４０のカメラ４５が撮影した画像内に画像処理装置１０が映っている場合は（ステップＳ５０２;Ｙｅｓ）、ステップＳ５０４へ移行する。なお、上記映っている状態が一定時間以上（たとえば、２秒以上）保たれた場合に、ステップＳ５０２；Ｙｅｓとなるようにするとよい。携帯型端末４０のカメラ４５が撮影した画像内に画像処理装置１０が映っていなければ（ステップＳ５０２;Ｎｏ）、表示切り替え釦が押下されたか否かを判定する（ステップＳ５０３）。表示切り替え釦が押下されなければ（ステップＳ５０３;Ｎｏ）、ステップＳ５０１に戻って処理を継続する。表示切り替え釦が押下された場合は（ステップＳ５０３;Ｙｅｓ）、ステップＳ５０４に移行する。
【０１１３】
ステップＳ５０４では、携帯型端末４０に表示されている画面を、画像処理装置１０の操作パネル３０の表示部３１に表示される画面に切り替える。ここでは、現時点で操作パネル３０の表示部３１に表示されている画面と同じ画面を携帯型端末４０の表示部４８に表示する。
【０１１４】
次に、画像処理装置１０の操作パネル３０の表示部３１の表示、および操作部３２による操作の受け付けを無効にして（ステップＳ５０５）、本処理を終了する。これにより、携帯型端末４０に画像処理装置１０の操作パネル３０に表示される画面が表示されている間、画像処理装置１０の操作パネル３０での操作は無効になる。すなわち、画像処理装置１０に関する各種の操作を受ける機能を果たす装置が、画像処理装置１０の操作パネル３０から携帯型端末４０に切り替えられる。
【０１１５】
このように、自動切り替え条件として撮影画像基準が設定されている場合には、携帯型端末４０と画像処理装置１０の操作パネル３０との位置関係が、携帯型端末４０のカメラ４５が撮影する画像内に画像処理装置１０の操作パネル３０が映るような位置関係になるように、ユーザが携帯型端末４０を移動させると、携帯型端末４０に表示される画面が、画像処理装置１０の操作パネル３０に表示される画面に切り替わる。
【０１１６】
図８のステップＳ５０２において、画像内に複数台の画像処理装置１０が映っている場合には、該複数台の中から１台を選択する操作をユーザから受け付ける。そして、その選択された１台の画像処理装置１０を対象にして、ステップＳ５０４、Ｓ５０５の処理を行う。
【０１１７】
図９、図１０は、図５のステップＳ２０２、図６のステップＳ３０３、図７のステップＳ４０３、図８のステップＳ５０２において複数台の中から１台を選択する操作をユーザから受け付ける選択画面の例を示している。図９は、カメラの撮影範囲に複数台の画像処理装置が検出された場合に、その複数台の中の１台の選択をユーザから受ける選択画面を示している。図１０は、近距離無線通信の通信可能範囲に複数台の画像処理装置が検出された場合に、その複数台の中の１台の選択をユーザから受ける選択画面を示している。図９、図１０に示す画面は、携帯型端末４０に表示される。
【０１１８】
なお、図４のＳ１０３にて、表示切り替え釦に加えて、表示切り替えのキャンセル釦を表示し、キャンセル釦が操作された場合は、画面を切り替えることなく処理を終了するようにしてもよい。キャンセル釦の表示およびキャンセル釦が操作された場合に画面の切り替えを中止する処理は、ＣＰＵ４１の無効指示部が行う。
【０１１９】
図４から図８の各処理の実行における画像処理装置１０と携帯型端末４０の役割分担は適宜でよい。たとえば、携帯型端末４０のカメラ４５が撮影する画像に基づいて、携帯型端末４０の表示部４８の臨む向きと画像処理装置１０の操作パネル３０の臨む向きの一致・不一致を判断してもよいし、画像処理装置１０のカメラ３４が撮影した画像に基づいて判断してもよい。後者の場合、画像処理装置１０のカメラ３４の撮影した画像を解析して携帯型端末４０の向きを認識し、携帯型端末４０の表示部４８の臨む向きと画像処理装置１０の操作パネル３０の臨む向きの差を認識すればよい。
【０１２０】
また、図４から図８に示す処理は、操作表示システム５で行うほか、たとえば、携帯型端末４０が単独で行うように構成されてもよい。すなわち、携帯型端末４０と画像処理装置１０とが所定の位置関係になるように携帯型端末４０の位置が変化したか否かを携帯型端末４０が自端末のカメラ４５で撮影した画像や方位センサ部５２の検出結果に基づいて判断し、該当の変化があったとき、自端末の表示部４８に表示する画面を、画像処理装置１０の操作パネル３０に表示される画面に切り替える。この場合、画像処理装置１０の操作パネル３０に表示される画面の情報は、無線通信を介して画像処理装置１０から取得すればよい。
【０１２１】
さらに、図４から図８に示す処理のほとんどを画像処理装置１０が行い、画面の切り替え指示を、画像処理装置１０が携帯型端末４０に送信するように構成されてもよい。すなわち、携帯型端末と自装置（画像処理装置１０）が所定の位置関係になるように携帯型端末４０の位置が変化したか否かを、画像処理装置１０のカメラ３４の撮影画像を解析して判断し、該当の変化があったと判断した場合に、画面の切り替え指示を携帯型端末４０に送信する。このとき、画像処理装置１０は、切り替え後に表示する画面の情報を携帯型端末４０に対して送信する。該指示を受けた携帯型端末４０は、その指示に従って自端末の表示部４８に表示する画面を切り替える。なお、ユーザに画面の切り替えを問い合わせる場合における表示切り替え釦や表示切り替えのキャンセル釦の表示は、画像処理装置１０が携帯型端末４０に指示して携帯型端末４０に行わせ、携帯型端末４０はこれらの釦の操作状況を画像処理装置１０に送信する。
【０１２２】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２３】
実施の形態では、操作パネルを備えた装置を画像処理装置１０としたが、これに限定されるものではなく、操作パネルを備える任意の装置でよい。
【０１２４】
実施の形態では、携帯型端末４０と画像処理装置１０が通信可能であることを前提条件のように扱ったが（図４のステップＳ１０２）、これを自動切り替え条件の１つとしてもよい。すなわち、携帯型端末４０と画像処理装置１０とが無線通信可能になる位置関係になるように、携帯型端末４０の位置が変化したとき、携帯型端末４０に表示されている画面を、画像処理装置１０の操作パネル３０に表示される画面に切り替えるようにしてもよい。
【０１２５】
画面の切り替えにおいて、画面全体が切り替わらなくてもよい。携帯型端末４０側で、画像処理装置１０の画面を表示すると共に携帯型端末４０側で表示していた画面についても表示する、たとえば、縮小して２画面を並べて表示する、等でもよい。
【０１２６】
実施の形態では、切り替え動作において、画像処理装置１０の操作パネル３０に現時点で表示されている画面が、携帯型端末４０の表示部４８に表示される例を示したが、たとえば、画像処理装置１０が省電力モードに入って操作パネル３０に何も表示されていない状態であってもかまわない。この場合、省電力モードから通常状態へ復帰した場合に画像処理装置１０の操作パネル３０に表示される画面を携帯型端末４０に表示するとよい。この時、画像処理装置１０の操作パネル３０は省電力モードを保持するとよい。
【０１２７】
また携帯型端末４０が省電力状態のときに、所定の位置関係になったことを検出したら、省電力状態が解除されて、画像処理装置１０の画面が携帯型端末４０に表示されるように動作してもよい。
【０１２８】
実施の形態では、携帯型端末４０に表示する画面を、画像処理装置１０の操作パネル３０に表示される画面に切り替えている間、画像処理装置１０の操作パネル３０での表示や操作の受け付けを無効にしたが、画像処理装置１０の操作パネル３０での表示や操作の受け付けを有効な状態に維持してもかまわない。
【０１２９】
図７のステップＳ４０１〜Ｓ４０４を実行しているときは、携帯型端末４０の表示部４８にはカメラ４５の撮影した画像は表示しない。すなわち、図７では、携帯型端末４０のカメラ４５をユーザが使用するモードではなく、カメラ４５はバックグラウンドで動作している。一方、図８のステップＳ５０１〜５０３を実行しているときは、携帯型端末４０の表示部４８にカメラ４５の撮影している画像が表示される。すなわち、図８では、携帯型端末４０はユーザがカメラ４５を使用する撮影モードで動作している。これらは好適な例であり、図７、図８のいずれも、カメラ４５をバックグラウンドで動作させてもよいし、撮影モードで動作させてもかまわない。
【符号の説明】
【０１３０】
５…操作表示システム
１０…画像処理装置
１１…ＣＰＵ
１２…ＲＯＭ
１３…ＲＡＭ
１４…不揮発メモリ
１５…ハードディスク装置
１６…画像読取部
１７…自動原稿搬送部
１８…画像処理部
１９…プリンタ部
２１…ネットワーク通信部
２２…ファクシミリ通信部
２３…近距離無線通信部
３０…操作パネル
３１…表示部
３２…操作部
３３…距離測定部
３４…カメラ
４０…携帯型端末
４１…ＣＰＵ
４２…ＲＯＭ
４３…ＲＡＭ
４４…不揮発メモリ
４５…カメラ
４６…距離測定部
４７…操作部
４７ａ…タッチパネル
４８…表示部
４９…ネットワーク通信部
５１…近距離無線通信部
５２…方位センサ部
【図１】
2016045512.tif 000003
【図２】
2016045512.tif 000004
【図３】
2016045512.tif 000005
【図４】
2016045512.tif 000006
【図５】
2016045512.tif 000007
【図６】
2016045512.tif 000008
【図７】
2016045512.tif 000009
【図８】
2016045512.tif 000010
【図９】
2016045512.tif 000011
【図１０】
2016045512.tif 000012